(57)【特許請求の範囲】
【請求項１】
入力された制御信号光に基づき、入射されたシリアル光信号列を、所定の一方向に走査する光制御型光偏向器を備えてなり、
前記制御信号光がパルス光であり、
前記光制御型光偏向器は、光の照射強度に応じて透過率もしくは屈折率が変化する非線形光学材料部材を内蔵するとともに、
前記パルス光を、該パルス光の進行方向と略直交する方向に拡幅する拡幅光学系と、
該拡幅光学系により拡幅されたパルス光の空間的な位置毎に、互いに異なる時間遅延処理を施す遅延時間付加光学系と、
該遅延時間付加光学系により時間遅延処理を施されたパルス光を前記非線形光学材料部材上に集光せしめる集光光学系とを備えてなり、
前記遅延時間付加光学系による時間遅延処理は、前記拡幅されたパルス光を、光束の中心軸を含む所定の平面内において、該中心軸に対して略左右対称に、かつ中心軸から離れるにしたがって時間遅延量が漸次、増加または減少するように変形する処理であり、
前記非線形光学材料部材に集光せしめられた前記パルス光は、該非線形光学材料部材の表面に到達した際における前記略左右対称とされた各々の光の波面の交差角度が時間の経過とともに、漸次、増加または減少するように変化せしめられ、
前記非線形光学材料部材は、前記交差角度の大きさに応じた空間周波数の干渉縞が形成されるように構成されており、
この非線形光学材料部材に入射せしめる前記パルス光の波面の交差角度を変化させて、この干渉縞の空間周波数を変化せしめることにより、前記入射されたシリアル光信号列の回折方向を変化させて、前記走査を行うことを特徴とする高速光走査装置。
【請求項２】
入力された制御信号光に基づき、入射されたシリアル光信号列を、第１の方向に走査する第１の光制御型光偏向器と、
前記第１の方向に走査されたシリアル光信号列を集光する集光光学系と、
該集光光学系による集光位置に配され、入力された制御信号光に基づき、前記集光された前記シリアル光信号列を、前記第１の方向とは異なる第２の方向に走査する第２の光制御型光偏向器とを備え、
前記制御信号光がパルス光であり、
前記第１の光制御型光偏向器および前記第２の光制御型光偏向器は、光の照射強度に応じて透過率もしくは屈折率が変化する非線形光学材料部材を内蔵するとともに、
前記パルス光を、該パルス光の進行方向と略直交する方向に拡幅する拡幅光学系と、
該拡幅光学系により拡幅されたパルス光の空間的な位置毎に、互いに異なる時間遅延処理を施す遅延時間付加光学系と、
該遅延時間付加光学系により時間遅延処理を施されたパルス光を前記非線形光学材料部材上に集光せしめる集光光学系とを備えてなり、
前記遅延時間付加光学系による時間遅延処理は、前記拡幅されたパルス光を、光束の中心軸を含む所定の平面内において、該中心軸に対して略左右対称に、かつ中心軸から離れるにしたがって時間遅延量が漸次、増加または減少するように変形する処理であり、
前記非線形光学材料部材に集光せしめられた前記パルス光は、該非線形光学材料部材の表面に到達した際における前記略左右対称とされた各々の光の波面の交差角度が時間の経過とともに、漸次、増加または減少するように変化せしめられ、
前記非線形光学材料部材は、前記交差角度の大きさに応じた空間周波数の干渉縞が形成されるように構成されており、
この非線形光学材料部材に入射せしめる前記パルス光の波面の交差角度を変化させて、この干渉縞の空間周波数を変化せしめることにより、入射された前記シリアル光信号列の回折方向を変化させて、前記走査を行うことを特徴とする高速光走査装置。
【請求項３】
前記第１の光制御型光偏向器および前記第２の光制御型光偏向器の走査駆動のタイミングが、前記シリアル光信号列の所定のタイミングと同期するように構成され、
前記第２の光制御型光偏向器から２次元のパラレル光信号が出力されるように構成されていることを特徴とする請求項２記載の高速光走査装置。
【請求項４】
前記遅延時間付加光学系が、偏向光学素子により時間遅延処理を施すものであることを特徴とする請求項１から３のうちいずれか１項記載の高速光走査装置。
【請求項５】
前記偏向光学素子が、レンズ特性を有する複数個の光学素子からなり、該光学素子への光の入射位置に応じて遅延時間が変化するように構成されていることを特徴とする請求項４記載の高速光走査装置。
【請求項６】
前記偏向光学素子が、プリズム光学素子を含み、該プリズム光学素子内に入射した光の該プリズム光学素子内における光路長に応じて遅延時間が変化するように構成されていることを特徴とする請求項４記載の高速光走査装置。
【発明の詳細な説明】
【技術分野】
【０００１】
本発明は、例えば１Ｔbits／ｓ以上の高速大容量のシリアル信号を担持した光束を、超高速に走査する高速光走査装置に関するものであり、例えば、画像表示ディスプレイやプリンタ等の情報出力装置において用いられる高速光走査装置に関するものである。
【背景技術】
【０００２】
光通信技術の進展により、単位時間当たりの情報伝送量が飛躍的に増加しており、そのような実情に応じて、情報出力端末機器であるディスプレイや記録、印刷装置等へ情報を出力する装置についても、高速化や大容量化が要求されている。
このような状況の下、高速に伝送されたシリアル光信号列を受信端末で２次元的なパラレル光信号に高速変換する技術は、出力端末からの情報量を飛躍的に向上させるためのキーテクノロジである。
【０００３】
シリアル光信号列をパラレル光信号に変換する従来手法としては、ガルバノメータミラー、ポリゴンミラー、あるいはホログラムスキャナ等の機械的駆動走査手段を用いた走査手法が古くから知られているが、この走査手法では、装置が大型化する。また、走査速度が遅く（数ms〜μs／deg）、高速に動作させようとすると大幅な精度の低下が生じるため、光信号を高速変換することが必要となるような用途には適していない。
【０００４】
これに対し、電気光学効果や音響光学効果等の電気的な偏向制御手段を用いた走査手法も知られている。これらの電気的な偏向制御手段を用いた走査手法は、応答速度が速く、電気光学効果を用いたもので１ＧHz程度、音響光学効果を用いたもので数十ＭHz程度の帯域とすることが可能である。
【発明の開示】
【発明が解決しようとする課題】
【０００５】
しかしながら、上述した電気的な偏向制御手段を用いた走査手法においては、一般に走査角度が小さく、１走査線あたりの分解数は１０３程度と上記機械的駆動走査手段よりも１桁以上小さい値となってしまう。
さらに、電気的な偏向制御手段を用いた走査手法は、機械的駆動走査手段を用いた走査手法に比較すれば応答速度を大幅に速くすることができるものの、高速に伝送されたシリアル光信号列（数十Ｇ〜数Ｔbits／ｓ）に追従し得る高速走査の実現は困難である。
【０００６】
本発明は、上記事情に鑑みなされたものであり、装置の大型化および走査精度の低下を招来することなく、光の通信速度に追従し得る高速な光走査が可能な高速光走査装置を提供することを目的とするものである。
【課題を解決するための手段】
【０００７】
本発明の第１の高速光走査装置は、入力された制御信号光に基づき、入射されたシリアル光信号列を、所定の一方向に走査する光制御型光偏向器を備えてなり、
前記制御信号光がパルス光であり、
前記光制御型光偏向器は、光の照射強度に応じて透過率もしくは屈折率が変化する非線形光学材料部材を内蔵するとともに、
前記パルス光を、該パルス光の進行方向と略直交する方向に拡幅する拡幅光学系と、
該拡幅光学系により拡幅されたパルス光の空間的な位置毎に、互いに異なる時間遅延処理を施す遅延時間付加光学系と、
該遅延時間付加光学系により時間遅延処理を施されたパルス光を前記非線形光学材料部材上に集光せしめる集光光学系とを備えてなり、
前記遅延時間付加光学系による時間遅延処理は、前記拡幅されたパルス光を、光束の中心軸を含む所定の平面内において、該中心軸に対して略左右対称に、かつ中心軸から離れるにしたがって時間遅延量が漸次、増加または減少するように変形する処理であり、
前記非線形光学材料部材に集光せしめられた前記パルス光は、該非線形光学材料部材の表面に到達した際における前記略左右対称とされた各々の光の波面の交差角度が時間の経過とともに、漸次、増加または減少するように変化せしめられ、
前記非線形光学材料部材は、前記交差角度の大きさに応じた空間周波数の干渉縞が形成されるように構成されており、
この非線形光学材料部材に入射せしめる前記パルス光の波面の交差角度を変化させて、この干渉縞の空間周波数を変化せしめることにより、前記入射されたシリアル光信号列の回折方向を変化させて、前記走査を行うことを特徴とするものである。
【０００８】
また、本発明の第２の高速光走査装置は、入力された制御信号光に基づき、入射されたシリアル光信号列を、第１の方向に走査する第１の光制御型光偏向器と、
前記第１の方向に走査されたシリアル光信号列を集光する集光光学系と、
該集光光学系による集光位置に配され、入力された制御信号光に基づき、前記集光された前記シリアル光信号列を、前記第１の方向とは異なる第２の方向に走査する第２の光制御型光偏向器とを備え、
前記制御信号光がパルス光であり、
前記第１の光制御型光偏向器および前記第２の光制御型光偏向器は、光の照射強度に応じて透過率もしくは屈折率が変化する非線形光学材料部材を内蔵するとともに、
前記パルス光を、該パルス光の進行方向と略直交する方向に拡幅する拡幅光学系と、
該拡幅光学系により拡幅されたパルス光の空間的な位置毎に、互いに異なる時間遅延処理を施す遅延時間付加光学系と、
該遅延時間付加光学系により時間遅延処理を施されたパルス光を前記非線形光学材料部材上に集光せしめる集光光学系とを備えてなり、
前記遅延時間付加光学系による時間遅延処理は、前記拡幅されたパルス光を、光束の中心軸を含む所定の平面内において、該中心軸に対して略左右対称に、かつ中心軸から離れるにしたがって時間遅延量が漸次、増加または減少するように変形する処理であり、
前記非線形光学材料部材に集光せしめられた前記パルス光は、該非線形光学材料部材の表面に到達した際における前記略左右対称とされた各々の光の波面の交差角度が時間の経過とともに、漸次、増加または減少するように変化せしめられ、
前記非線形光学材料部材は、前記交差角度の大きさに応じた空間周波数の干渉縞が形成されるように構成されており、
この非線形光学材料部材に入射せしめる前記パルス光の波面の交差角度を変化させて、この干渉縞の空間周波数を変化せしめることにより、入射された前記シリアル光信号列の回折方向を変化させて、前記走査を行うことを特徴とするものである。
【０００９】
さらに、上述したいずれかの高速光走査装置において、前記第１の光制御型光偏向器および前記第２の光制御型光偏向器の走査駆動のタイミングが、前記シリアル光信号列の所定のタイミングと同期するように構成され、
前記第２の光制御型光偏向器から２次元のパラレル光信号が出力されるように構成されていることが好ましい。
【００１２】
また、前記遅延時間付加光学系が、偏向光学素子により時間遅延処理を施すように構成することが可能である。
【００１３】
また、前記偏向光学素子は、レンズ特性を有する複数個の光学素子からなり、該光学素子への光の入射位置に応じて遅延時間が変化するように構成することが可能ある。
【００１４】
さらに、前記偏向光学素子が、プリズム光学素子を含み、該プリズム光学素子内に入射した光の該プリズム光学素子内における光路長に応じて遅延時間が変化するように構成することが可能ある。
【発明の効果】
【００１５】
本発明の高速光走査装置によれば、高速伝送されるシリアル光信号を、光の速度に応じて変調可能な干渉縞を用いて回折走査し、超高速でパラレル光信号に変換し得るようにしているので、装置の大型化および走査精度を招来することなく、光の通信速度に追従し得る高速な光走査が可能である。
【００１６】
これにより、従来の電気的な偏向制御手段を用いた走査手法においては不可能であった、超高精細で高密度な画像等の実時間での高度情報処理が可能となり、情報通信分野における信号伝送処理技術を大きく変革することができる。
【発明を実施するための最良の形態】
【００１７】
以下、本発明の実施形態について図面を参照しつつ説明する。
【００１８】
図１は、本発明の実施形態に係る高速光走査装置の構成を示す概略図である。
図１に示すように、本実施形態の高速光走査装置は、光ファイバ伝送路１から出射されたシリアル光信号列２を、入力された制御信号光４に基づき、第１の方向（図１においてはＸ軸方向）に走査する第１の光制御型光偏向器３と、シリアル光信号列２の走査光５を集光する集光光学系６と、集光光学系６による集光位置に配され、集光されたシリアル光信号列２を、入力された制御信号光８に基づき、第１の方向とは異なる第２の方向（図１においてはＹ軸方向）に走査する第２の光制御型光偏向器７とを備え、第２の光制御型光偏向器７から出力された、２次元的に走査される走査光９により、シリアル光信号列２の各信号単位が２次元平面１０上に展開される。
【００１９】
なお、本実施形態においては、上記第１の方向および第２の方向を、互いに直交するＸ軸方向およびＹ軸方向としているが、これに替えてＸ−Ｙ平面内の互いに異なる任意の２方向を選択することが可能である。
【００２０】
以下、上記実施形態に係る高速光走査装置の動作について説明する。
上述したように、光ファイバ伝送路１から出射されたシリアル光信号列２は、第１の光制御型光偏向器３に入射される。このシリアル光信号列２は、数十ＧHzから数ＴHz程度の超高速な光パルス信号列である。
上記第1の光制御型光偏向器３は制御信号光４により動作制御され、入射するシリアル光信号列２を、第１の方向（図１ではＸ軸方向）に往復走査し、走査光５を出力する。
この第1の光制御型光偏向器３による光走査は、電気的な制御機構が介在しない全光学的な光制御により行なわれるため、超高速な走査が可能である。
【００２１】
次に、第１の光制御型光偏向器３から出力された、第１の方向への走査光５は、集光光学系６を介して、第２の光制御型光偏向器７に入射される。
この第２の光制御型光偏向器７は制御信号光８により動作制御され、集束された走査光５を、第２の方向（図１ではＹ軸方向）に往復走査し、２次元的に走査される走査光９を出力する。
この第２の光制御型光偏向器７も第1の光制御型光偏向器３と同様に、電気的な制御機構が介在しない全光学的な光制御により行なわれるため、超高速な走査が可能である。
【００２２】
上記第１の光制御型光偏向器３および上記第２の光制御型光偏向器７の各走査駆動のタイミングは、シリアル光信号列２の所定の信号タイミングと互いに同期するように構成されている。
【００２３】
上記第１の光制御型光偏向器３および上記第２の光制御型光偏向器７は、具体的には図２に示すような構成により駆動制御される。第１の光制御型光偏向器３および上記第２の光制御型光偏向器７は、互いに略同様の構成とされているので、ここでは第１の光制御型光偏向器３を代表例として説明する。
【００２４】
上述したように、光制御型光偏向器３は制御信号光４によって駆動制御されるが、本実施形態においては制御信号光４として短パルス光が用いられる。すなわち、例えば半導体レーザや固体レーザ等から出力されるピコ秒〜フェムト秒オーダのパルス幅をもつレーザ光が使用される。特に、ＧHz以上の高繰り返しレートが可能なＴｉ３＋：Ａｌ２Ｏ３レーザ、Ｃｒ４＋：ＹＡＧレーザ、Ｃｒ４＋：ＬｉＳＡＦレーザ、Ｎｄ３＋：ＹＶＯ４レーザ等のレーザ光源を用いるのが好ましい。
【００２５】
光制御型光偏向器３内に入力された、制御信号光４としての短パルス光は、拡幅光学系１１において光軸と直交する方向に拡幅され、スリット状の光１２に変換される。
拡幅光学系１１は凹レンズと凸レンズあるいは２つの凸レンズの組み合わせにより構成された、一般的なビームエキスパンダであってもよいが、特に、制御信号光４が１００フェムト秒以下の、高強度の超短パルス光である場合には、凸レンズに替えて凹面鏡を用いるとよい。
【００２６】
拡幅光学系１１から出力されたスリット状の光１２は、遅延時間付加光学系１３に入力され、空間的な位置に応じて、互いに異なる遅延時間が付加される。遅延時間の付加とは、例えば、図２に示すように、拡幅された短パルス光（１２）を、光束の中心軸を含む所定の平面内において、該中心軸に対して略左右対称に、かつ中心軸から離れるにしたがって時間遅延が漸次増加するように変形する。なお、遅延時間の付加の態様としては、他の種々の態様を選択し得るが、例えば、制御信号光４において、中心軸付近における遅延時間が最も大きく、中心軸から離れるにしたがって時間遅延が漸次減少するようにしてもよい。
【００２７】
遅延時間付加光学系１３から出力された、遅延時間が付加された光１４は集光光学系１５により集光され、その光波面１６が収束されるような状態で非線形光学材料部材１７に入力される。
この非線形光学材料部材１７上には、空間的な位置に応じて、互いに異なる遅延時間を付加されて変形された光が集光入力されることで、該光の変形形状に応じて、時間経過とともに空間周波数が変化する干渉縞が形成される。
【００２８】
以下、このように空間周波数が変化する干渉縞の形成過程を、図３を用いて説明する。
【００２９】
上記集光光学系１５からの光の光波面１６は、中心部よりも周辺部において時間遅れが生じている。
そのため、図３（ａ）に示すように光波面１６の先端部分１８および先端部分１９が非線形光学材料部材１７に入射し、光波干渉が生じる場合、互いの光波面のなす交差入射角度２０は小さく、非線形光学材料部材１７上に形成される干渉縞の空間周波数は低い。
【００３０】
次に、図３（ｂ）に示すように、先端部分１８および先端部分１９よりも時間遅れが大きい、光波面１６の、中心部と周辺部の間に位置する中間部分２１および中間部分２２が非線形光学材料部材１７に入射し、光波干渉が生じる場合、互いの光波面のなす交差入射角度２３は上記交差入射角度２０よりも大きくなり、非線形光学材料部材１７上に形成される干渉縞の空間周波数は、上記図３（ａ）に示す場合よりも高くなる。
【００３１】
さらに、図３（ｃ）に示すように、中間部分２１および中間部分２２よりも時間遅れが大きく、光波面１６の、周辺部に位置する終端部分２４および終端部分２５が非線形光学材料部材１７に入射し、光波干渉が生じる場合、互いの光波面のなす交差入射角度２６は上記交差入射角度２３よりもさらに大きくなり、非線形光学材料部材１７上に形成される干渉縞の空間周波数は、上記図３（ｂ）に示す場合よりもさらに高くなる。
【００３２】
このように、本実施形態においては、時間経過とともに交差入射角度が漸次大きくなる光波面が非線形光学材料部材１７上に入射され、空間周波数が時間経過とともに漸次高くなる干渉縞が形成されるように構成されている。
このようにして形成された干渉縞は回折格子として機能し、その格子ピッチが漸次小さくなるように変化するため、その回折角も漸次変化する。
【００３３】
したがって、この状態で、非線形光学材料部材１７の干渉縞形成部分に、シリアル光信号列２を入射せしめると、シリアル光信号列２は、その干渉縞の空間周波数に応じた方向に回折されるため、光の偏向方向を連続的に変化させることができ、これにより光走査を行うことができる。
【００３４】
なお、上記非線形光学材料部材１７としては、高速な応答特性を示すものが好ましく、例えば、ＧａＡｓ薄膜構造の半導体材料や、有機材料であるフタロシアニン、メロシアニン、ポリシアン、ポリジアセチレン、ポリアリーレンビニレン、ジエチルアミノニトロスチルベン、あるいはスクエアリリウム色素等を利用することができる。
【００３５】
また、上述した遅延時間付加光学系１３としては種々の態様のものを採用し得る。以下、遅延時間付加光学系１３の具体的態様について図４および図５を用いて説明する。なお各図において示される光制御型光偏向器３ａ、３ｂに関し、図２の光制御型光偏向器３と共通する要素については同一の符号を付し、その詳細な説明は省略する。
【００３６】
図４は第１の態様に係る遅延時間付加光学系１３ａについて示すものである。
この遅延時間付加光学系１３ａにおいては、空間的に拡幅された短パルス光（１２）を、２つの回折レンズ２７ａ、２７ｂを透過させることで、光束中心部の光路と、光束周辺部の光路との間に光路長差を生じさせるようにしている。すなわち、第１の回折レンズ２７ａは凸レンズとしての機能を有し、一方、第２の回折レンズ２７ｂも凸レンズとしての機能を有し、２つの回折レンズ２７ａ、２７ｂを順次透過した光は、図示のごとく遅延時間を付加された光１４ａとして出力される。
【００３７】
以下、上記回折レンズ２７ａ、２７ｂのレンズ特性と、それによる時間遅延量の関係について説明する。いずれも焦点距離がｆとされた２つの回折レンズが、間隔２ｆで配置されている場合、中心部を通過した光に対する周辺部を通過した光の遅延量（光路長差）Δｌは下式（１）で表される。ここで、Ｄは回折レンズの直径である。
【００３８】
【数１】
0004637507.tif 000002
【００３９】
例えば、パルス幅が１００ｆｓの短パルス光を幅50mmの平行光束に拡幅した場合を想定する。このとき、回折レンズの直径Ｄを50mm、焦点距離ｆを50mmに設定すると、上式（１）から、中心部と周辺部を通過する各光の光路長差Δｌは11.8mmとなる。
時間遅延量は、Δｌを光速度により除して得られた値であるから、約39psとなる。すなわち、１往復走査時間は約39psとなる。
このように、回折光学素子を使用することで、簡単な構成で、比較的大きな時間遅延を生じさせることができる。
【００４０】
次に、非線形光学材料部材１７上に形成される干渉縞による、シリアル光信号列２の偏向角度について説明する。なお、ここでは回折次数が＋1次のものを用いた場合について説明する。
【００４１】
上述したように、この偏向角度は、上記干渉縞による回折格子の空間周波数により決定され、また、この空間周波数は集光レンズ１５の開口数ＮＡに依存する。
すなわち、非線形光学材料部材１７上に形成される干渉縞の空間周波数ｐ（lp／mm）は下式（２）により表される。ここで、λは光の波長である。
【００４２】
【数２】
0004637507.tif 000003
【００４３】
例えば、直径Ｄが50mm、焦点距離ｆが50mmの集光レンズ１５によって光１４ａを集光した場合を想定する。このとき、制御信号光４の波長λを780nmに設定すると、上式（２）から、非線形光学材料部材１７上に形成される干渉縞の空間周波数は、O〜1146（lp／mm）となる。
したがって、シリアル光信号列２の波長を1.5μmに設定すると、その回折角は0〜12.9度の範囲で変化することになる。すなわち、偏向角度は0〜12.9度の範囲となる。
【００４４】
ここでは透過型の回折光学素子について説明しているが、これに替えて反射型の回折光学素子を用いることも可能である。特に、制御信号光４が１００フェムト秒以下の高強度の超短パルス光である場合には、分散や吸収が少ない反射型構造を用いることが好ましい。
【００４５】
なお、遅延時間付加光学系１３ａにおいて、時間遅延量を増加させるには、上述した如き回折レンズ２７ａ、２７ｂを、複数組、直列に配置するようにしたり、回折レンズ２７ａ、２７ｂのＮＡを大きくしたりする手法が有効である。
【００４６】
なお、レンズ特性を有する遅延時間付加光学系としては、回折レンズに限られるものではなく、一般に用いられるガラスレンズ等を用いてもよい。
【００４７】
次に、図５を用いて、第２の態様に係る遅延時間付加光学系１３ｂについて説明する。
この遅延時間付加光学系１３ｂにおいては、空間的に拡幅された短パルス光（１２）を、２つの全反射ミラー３１ａ、３１ｂにより、丁度、光軸上で２分割し、分割された短パルス光（１２）を、各々全反射ミラー３１ｃ、３１ｄを介して、対応する断面三角形状のガラスプリズム２８ａ、２８ｂに入射せしめ、このガラスプリズム２８ａ、２８ｂを透過させることで、光束中心部の光路と、光束周辺部の光路との間に光路長差を生じさせるようにしている。すなわち、光束中心部の光と、光束周辺部の光とは、ガラスプリズム２８ａ、２８ｂに入射するまでの区間およびガラスプリズム２８ａ、２８ｂ内のいずれにおいても光路長差が生じ、光学系１５に入射する光束の中心部と周辺部とで、時間遅延が生じた光１４ｂとして出力される。
【００４８】
このように、ガラスプリズムを用いることで、回折光学素子を用いた場合に比べて光効率をより良好なものとすることができ、また光学素子の作製が容易で、製作コストも安価にすることができるという利点を有する。
【００４９】
なお、本発明の高速光走査装置としては、上述した実施形態のものに限られるものではなく、その他の種々の態様の変更が可能である。
例えば、上記実施形態のものでは、２つの光制御型光偏向器を用いて２次元的にシリアル光信号列を走査するようにしているが、光制御型光偏向器を１つのみ用いて１次元的にシリアル光信号列を走査するように構成することも可能である。このような構成においては、副走査を行う他の光走査手法と組み合わせて、主走査のみを本発明装置により行うようにしてもよい。
【図面の簡単な説明】
【００５０】
【図１】本発明の実施形態に係る高速光走査装置の構成を示す概略図
【図２】図１に示す光制御型光偏向器の概略構成を表すブロック図
【図３】空間周波数が漸次変化する干渉縞が、非線形光学材料部材上に形成される様子を説明するための図（（ａ）〜（ｃ））
【図４】図２に示す遅延時間付加光学系の具体的な態様（第１の態様：回折レンズを用いた場合）を表す概略図
【図５】図２に示す遅延時間付加光学系の具体的な態様（第２の態様：プリズムを用いた場合）を表す概略図
【符号の説明】
【００５１】
１    光ファイバ伝送路
２    シリアル光信号列
３    第１の光制御型光偏向器
３ａ、３ｂ    光制御型光偏向器
４、８    制御信号光
５、９    走査光
６、１５    集光光学系
７    第２の光制御型光偏向器
１０    ２次元平面
１１    拡幅光学系
１２    スリット状の光
１３、１３ａ、１３ｂ    遅延時間付加光学系
１４、１４ａ、１４ｂ    遅延時間が付加された光
１６    光波面
１７    非線形光学材料部材
２７ａ、２７ｂ    回折レンズ
２８ａ、２８ｂ    ガラスプリズム
３１ａ、３１ｂ、３１ｃ、３１ｄ    全反射ミラー
【図１】
0004637507.tif 000004
【図２】
0004637507.tif 000005
【図３】
0004637507.tif 000006
【図４】
0004637507.tif 000007
【図５】
0004637507.tif 000008